(57)【要約】【課題】磁性体を利用した遠隔操作式排水栓装置において、槽体毎に磁力強さ等を調整する必要が無く、また弁部材の上昇／下降の状態を維持するのに問題となるような負担が無く、また永久磁石に代えて電磁石を磁性体に利用しても、ランニングコストや機器等への負担が少ない遠隔操作式排水栓装置を提供する。【解決手段】  遠隔操作式排水栓装置を、槽体に設けられた排水口を遠隔操作的に開閉するための遠隔操作式排水栓装置であって、槽体に開口した排水口と、上下動によって排水口を開閉する弁部材と、排水口の開閉を操作する操作部と、操作部の操作に対応して水平方向に動作する水平作動部と、水平作動部の水平方向の動作を垂直方向の動作に変換して弁部材を上下動させる垂直作動部と、水平作動部の水平動作を、部材間に引力又は斥力を生じさせる磁性体によって行うように構成する。【選択図】図２
2015081497.tif 000002
【特許請求の範囲】
【請求項１】
槽体に設けられた排水口を遠隔操作的に開閉するための遠隔操作式排水栓装置であって、槽体に開口した排水口と、
上下動によって排水口を開閉する弁部材と、
排水口の開閉を操作する操作部と、
操作部の操作に対応して水平方向に動作する水平作動部と、
水平作動部の水平方向の動作を垂直方向の動作に変換して弁部材を上下動させる垂直作動部と、からなり、
水平作動部の水平動作を、部材間に引力又は斥力を生じさせる磁性体によって行うように構成したことを特徴とする遠隔操作式排水栓装置。
【請求項２】
上記磁性体が電力によって磁力を生じる電磁石によって構成されてなることを特徴とする、請求項１に記載の遠隔操作式排水栓装置。
【請求項３】
槽体に設けられた排水口を遠隔操作的に開閉するための遠隔操作式排水栓装置であって、槽体に開口した排水口と、
上下動によって排水口を開閉する弁部材と、
排水口の開閉を操作する操作部と、
操作部の操作に対応して水平方向に移動する水平作動部と、
水平作動部の水平方向の動作を垂直方向の動作に変換して弁部材を上下動させる垂直作動部と、からなり、
垂直作動部と弁部材間との動作の伝達を、部材間に引力を生じさせる磁性体によって行うように構成したことを特徴とする遠隔操作式排水栓装置。
【請求項４】
槽体に設けられた排水口を遠隔操作的に開閉するための遠隔操作式排水栓装置であって、槽体に開口した排水口と、
上下動によって排水口を開閉する弁部材と、
排水口の開閉を操作する操作部と、
操作部の操作に対応して水平方向に移動する水平作動部と、
水平作動部の水平方向の動作を垂直方向の動作に変換して弁部材を上下動させる垂直作動部と、からなり、
垂直作動部と弁部材間との動作の伝達を、部材間に引力又は斥力を生じさせる磁性体によって、弁部材の側面方向から行うように構成したことを特徴とする遠隔操作式排水栓装置。
【請求項５】
上記遠隔操作式排水栓装置において、水平作動部と垂直作動部のいずれか一方、または両方に傾斜面を設け、該傾斜面によって水平作動部の水平方向への動作を垂直作動部の垂直方向への動作に変換することを特徴とする、請求項１乃至請求項４のいずれか一つに記載の遠隔操作式排水栓装置。
【請求項６】
上記遠隔操作式排水栓装置において、
水平作動部の水平方向への動作が、回転動作によって行われることを特徴とする、請求項１乃至請求項５のいずれか一つに記載の遠隔操作式排水栓装置。
【請求項７】
上記遠隔操作式排水栓装置において、
磁性体の磁力により、排水の流路の壁面を超えて動作が伝達されるように構成したことを特徴とする、請求項１乃至請求項６のいずれか一つに記載の遠隔操作式排水栓装置。
【請求項８】
上記遠隔操作式排水栓装置において、
排水口からの排水が流れる排水流路の、弁部材よりも下流側に逆流防止弁を着脱自在に配置すると共に、
弁部材を排水口から取り外した状態で、逆流防止弁を排水口から取り出し可能としたことを特徴とする、請求項１乃至請求項７のいずれか一つに記載の遠隔操作式排水栓装置。
【発明の詳細な説明】
【技術分野】
【０００１】
本発明は、遠隔操作式排水栓装置に関し、更に詳しくは、磁性体を利用して排水口を開閉する磁力式遠隔操作式排水栓装置に関するものである。
【背景技術】
【０００２】
従来より、浴槽や洗面ボウルなどの槽体の内部に生じた排水を処理するため、槽体の底面等に排水口を設け、この排水口から、排水配管を介し下水側に排水を排出する方法が広く知られている。また、槽体内に水を溜める場合に、弁部材を利用して排水口を閉塞する方法があるが、この弁部材の閉塞また開口を、弁部材自体や排水口から離間した位置、例えば槽体の縁部に設けた操作部への操作によって行う遠隔操作式排水栓装置が知られている。
広く知られた遠隔操作式排水栓装置としては、特許文献１に記載のような、レリースワイヤによって直接弁部材を操作するものがある。この遠隔操作式排水栓装置は、レリースワイヤの端部を排水口内や排水栓本体内に配置固定し、レリースワイヤのインナーワイヤ端部に弁部材を押し上げさせることで、弁部材を上下動させ排水口を開閉させる。
しかしながら、このようなレリースワイヤを排水口内や排水栓本体内に配置固定する構造は、排水口や排水栓本体内にレリースワイヤやその固定部材といった障害物を発生させる構造でもあり、障害物に絡まる形で塵芥が溜まりやすく、また障害物によって清掃が困難になり、更に排水配管内に逆流防止弁等の配管部材を配置しても、障害物が障害となって排水口から取り出せない、という問題を生じる。
そこで、磁性体の磁力を利用し、磁力を介して操作を行うことで、排水口内に障害物が生じない遠隔操作式排水栓装置が提案されている。
以下に、この磁性体を利用して排水口を開閉させる磁力式の遠隔操作式排水栓装置を説明する。
【０００３】
特許文献２に記載の、第一の従来例の遠隔操作式排水栓装置は、以下に記載した槽体としての洗面ボウル、排水栓本体、弁部材、継手部材、操作部、レリースワイヤ、より構成されてなる。
洗面ボウルは、上方が開口した箱体であって、底面には排水栓本体を、バックガードには操作部をそれぞれ備えてなる。
排水栓本体は、内部に排水口を形成する略円筒形状の部材であって、洗面ボウルの底面に取り付けられる。
弁部材は、排水口を閉塞する円盤状の弁部材と、該弁部材の中央から下方に向かって垂下される弁軸部、及び弁軸部の下端に備えた、磁性体である第一の磁石部を備えてなる。
継手部材は排水栓本体の下流側に接続される、Ｌ字状に屈曲した管体からなる部材であって、排水栓本体の下方に配置されてなる。また、排水口のほぼ直下位置に、ヒンジ部によって９０度程度に自在に回動する、磁性体である第二の磁石部を備える。詳述すると、ヒンジ部は、平面視排水口の開口の周縁の位置に設けられており、このため第二の磁石部は、特に応力が加えられていない状態では下方を向き、後述するピストン部に押された状態ではヒンジ部を中心に９０度回転して排水口のほぼ直下位置に移動する。また、継手部材は、後述するレリースワイヤのピストン部を進退自在に収納するケース部を備えてなる。尚、第二の磁石部は、第一の磁石部に反発する向きに磁極の方向を調整してなる。
操作部は、洗面ボウルのバックガードに取り付けられる部材であって、押し引きの操作により弁部材を上下動させる。
レリースワイヤは、側面方向に可撓性を備え軸方向に剛性を備えた中空のアウターチューブと、該アウターチューブ内部に収納され、軸方向に摺動自在に動作するインナーワイヤと、インナーワイヤの一方の端部に備えられ、その先端が上記第二の磁石部を回動させるピストン部と、からなる。
【０００４】
上記のように構成した遠隔操作式排水栓装置を槽体である洗面ボウルに施工する場合、まず、排水栓本体を槽体の底面に、操作部を洗面ボウルのバックガードに、それぞれ取り付ける（洗面ボウルのそれぞれの取り付け箇所には対応する孔部が設けられている）。
次に、排水栓本体と継手部材を接続し、更に継手部材を、排水配管を介して床下配管に接続する。
次に、操作部にレリースワイヤの一端を接続し、他端を継手部材に接続する。継手部材とレリースワイヤの接続については、ピストン部を備えた側の端部を、継手部材側に配置し、ピストン部がケース部内を進退自在になるように収納した上で、アウターチューブ端部を継手部材に固定する。このように接続されたことで、ピストン部が最も先端側に押し出された時、第二の磁石部はピストン部に押されてヒンジ部にて回転し、排水口の直下位置に回動（移動）する。
更に、排水口内に弁部材の第一の磁石部及び弁軸を配置して、第一の従来例の遠隔操作式排水栓装置の施工が完了する。
【０００５】
上記第一の従来例の遠隔操作式排水栓装置を使用する場合、まず操作部に操作（引き操作）を加えてインナーワイヤが操作部側に移動した状態（以下「後退した状態」と記載）とする。この時、ピストン部材は操作部側に後退し、第二の磁石部はヒンジ部にて回動し、下方を向いた状態となる。弁部材は第二の磁石部の磁力の影響を受けないため降下し、弁体が排水口を覆って閉口した状態となる。
この状態より操作部に操作（押し込み操作）を加えて、インナーワイヤを継手部材側に移動した状態（以下「前進した状態」と記載）とさせると、インナーワイヤ先端のピストン部材が、第二の磁石部を押し出す状態となり、ヒンジ部を中心として第二の磁石部を９０度回転させ、第二の磁石部が排水口の直下位置に回動（移動）する。
弁部材の下端に設けた第一の磁石部と第二の磁石部は、反発しあう極性向きにそれぞれ固定されているため、第二の磁石部が排水口の直下位置に回動（移動）すると、第一の磁石部が第二の磁石部に反発し、弁部材全体を押し上げるようにして排水栓本体及び継手部材内を上昇し、弁体は排水口から離間して排水口を開口させることができる。
この状態より操作部に再度操作（引き操作）を加えてインナーワイヤを操作部側に後退させると、ピストン部材は操作部側に後退し、第二の磁石部はヒンジ部にて回動し、下方を向いた状態となるため、第一の磁石部と第二の磁石部の反発が無くなり、弁部材は自重によって降下し、弁体が排水口を覆って閉口した状態となる。
以後この操作を繰り返すことで排水口の開閉を自在に操作することができる。
【０００６】
次に、第二の従来例について、図面を参照しつつ説明する。
特許文献３に記載の、第二の従来例の遠隔操作式排水栓装置は、以下に記載した槽体としての洗面ボウル、排水栓本体、弁部材、継手部材、操作部、より構成されてなる。
洗面ボウルは、上方が開口した箱体であって底面には排水栓本体を、洗面ボウルのキャビネットの前面部分には操作部を、それぞれ備えてなる。
排水栓本体（特許文献３中では「排水管１６」）は、内部に排水口を形成する略円筒形状の部材であって、洗面ボウルの底面に取り付けられる。また、その外周部分には通電によって作動する磁性体（電磁石）である、第二の磁石部を配置してなる。
弁部材（特許文献３中では「排水栓１５」）は、排水口を閉塞する円盤状の弁部材と、該弁部材の中央から下方に向かって垂下される弁軸部、及び弁軸部の下端に備えた、磁性体である第一の磁石部を備えてなる。詳述すると、第一の磁石部は、上記した第二の磁石部が通電により磁性体として機能した時、引力を生じる極性の向きに配置されてなる。また、高さ方向について、施工完了時に、弁部材が降下して排水口を弁体が閉塞した状態では、第一の磁石部が、第二の磁石部よりも下方に位置するように構成されてなる。つまり、第一の磁石部と第二の磁石部が同じ高さ位置となった際には、弁部材の弁体は排水口から離間し、排水口が開口された状態となる。
継手部材は排水栓本体の下流側に接続される管体からなる部材であって、排水栓本体の下方に配置されてなる。
操作部は、洗面ボウルのキャビネットの前面部分に取り付けられる部材であって、弁部材を上下動させるための操作を行う。具体的には、操作部に加えられた操作に対応して、第二の磁石部に通電を行い磁力を発生し、また通電を止めて磁力が停止する、という動作を行わせることができる。弁部材は後述のように、第二の磁石部の磁力の有無によって上下動する。
また操作部には制御装置と、制御装置に接続されたリード線が備えられてなり、該リード線を第二の磁石部に接続することで、第二の磁石部を作動させることができる。
【０００７】
上記のように構成した遠隔操作式排水栓装置を槽体である洗面ボウルに施工する場合、まず、排水栓本体を槽体の底面に、操作部を洗面ボウルのキャビネットの前面部分に、それぞれ取り付ける（洗面ボウルやキャビネットのそれぞれの取り付け箇所には対応する孔部が設けられている）。
次に、排水栓本体と継手部材を接続し、更に継手部材を、排水配管を介して床下配管に接続する。
次に、操作部の制御装置に備えられたリード線を、第二の磁石部に接続する。
更に、排水口内に弁部材の第一の磁石部及び弁軸を配置して、第一の従来例の遠隔操作式排水栓装置の施工が完了する。
【０００８】
上記第二の従来例の遠隔操作式排水栓装置を使用する場合、まず操作部に操作を加えて第二の磁石部に通電しておらず、磁性体として機能していない状態とする。この時、弁部材の第一の磁石部は磁力による影響を受け無いため、弁部材は降下し、弁体が排水口を覆って閉口した状態となる。
この状態より操作部に操作を加えて、第二の磁石部に通電を行い、第二の磁石部を磁性体として機能させると、弁部材の下端に設けた第一の磁石部と第二の磁石部は、引き寄せあう極性向きにそれぞれ固定されているため、第二の磁石部が第一の磁石部に対して引力を発生させ、第一の磁石部を第二の磁石部と同じ高さ位置まで引き上げる。このため、弁部材全体が第一の磁石部により排水栓本体及び継手部材内を上昇し、弁体は排水口から離間して排水口を開口させることができる。
この状態より操作部に再度操作を加え、第二の磁石部への通電を停止すると、第一の磁石部を引き寄せる第二の磁石部の引力が無くなり、弁部材は自重によって降下し、弁体が排水口を覆って閉口した状態となる。
以後この操作を繰り返すことで排水口の開閉を自在に操作することができる。
【特許文献１】実開平３−１２２１７４号
【特許文献２】特開２０１３−１１７１５４号
【特許文献３】実開平５−１０５６４号
【発明の開示】
【発明が解決しようとする課題】
【０００９】
上記のように構成した、従来例の遠隔操作式排水栓装置には次のような問題があった。
第一の従来例の遠隔操作式排水栓装置の場合、磁力の作用が無い状態から、磁性体の反発を利用して弁部材を上昇させるため、使用する磁石の強度の調整が難しく、また槽体によっては使用できない場合があった。
詳細に説明すると、弁部材が槽体の排水口を閉塞する主な目的は、槽体内からの吐水の流出を防いで、槽体内に吐水を溜めることである。一方で、槽体に溜めた吐水が不要になれは、排水口を開口させ、槽体内の吐水を排出する必要がある。
排水口を閉塞し、槽体内が吐水で満水となった状態から、排水口を開口させるためには、槽体内に溜まった吐水の水圧による加重に抗して、弁部材を上昇させることが可能な程度に強力な磁性体を用いる必要がある。
一方で、槽体に溜まった吐水の排水が完了すると、当然弁部材には上記した吐水の水圧による加重は作用しなくなる。
例えば洗面台の場合、弁体の直径４０ミリメートルの遠隔操作式排水栓装置と、深さ１１０ミリメートル程度の洗面ボウルとの組み合わせでは、洗面ボウル内が満水の時、１５０グラム程度、弁部材に水圧による加重が生じる（以下「第一の事例」）。
また、弁体の直径６５ミリメートルの遠隔操作式排水栓装置と、深さ１５０ミリメートル程度の洗面ボウルとの組み合わせでは、洗面ボウル内が満水の時、５００グラム程度、弁部材に水圧による加重が生じる（以下「第二の事例」）。
磁性体の磁力強さを第一の事例に合わせて調整した遠隔操作式排水栓装置を、第二の事例の洗面ボウルに用いても、反発する磁性体の磁力強さが足りないため、弁部材を押し上げるに至らず、排水口を開口できない場合がある。
他方、磁性体の磁力強さを、第二の事例に合わせて調整した遠隔操作式排水栓装置を、第一の事例の洗面ボウルに用いると、反発する磁性体の磁力強さが強すぎ、弁部材が排水口から完全に飛び出してしまい、以後排水口を開口できなくなる場合がある。
このため、遠隔操作式排水栓装置の部材を、単純に「浴槽用」「洗面台用」といった排水機器の分類だけでなく、「径４０ミリメートル、槽体深さ１１０ミリメートル用」「径６５ミリメートル槽体深さ１５０ミリメートル用」といった具合に、槽体の深さや弁体の大きさに合わせて、磁性体の強度を様々に調整した部材が多種必要になり、部材の共通化が図れず、コストが高額になる。
また、磁性体の磁力強さは見た目では分からないため、誤って強すぎる／弱すぎる磁性体を使ってしまう場合がある。
更に、第二の事例の遠隔操作式排水栓装置を、第一の事例の洗面ボウルに使用した場合に、槽内に吐水が溜まって水圧の荷重が作用している状態でも、排水口を開口させると排水口から弁部材が飛び出してしまうのであれば、槽体内に水圧の荷重が働かない、槽体内が空の状態においては、尚更排水口を開口させると排水口から弁部材が飛び出してしまうことになる。
そして、槽体内が空の状態は、第二の事例の遠隔操作式排水栓装置に第二の事例の洗面ボウルを組み合わせた場合でも当然に生じる状態であり、槽体内が空の時、弁部材に加わる加重が無いことも同じである。よって、第二の事例の遠隔操作式排水栓装置を、第二の事例の洗面ボウルに使用した場合に、槽体内が空であれば、排水口を開口させると排水口から弁部材が飛び出してしまうことになる。
つまり、第二の事例の遠隔操作式排水栓装置は、「弁部材に水圧の荷重が生じている場合といない場合の、弁部材の荷重の差異が大きいために、槽体内が空の状態で排水口を開口させると弁部材が排水口から飛び出してしまう」という問題を有していることになる。
弁部材とそれを収納する排水栓本体や継手部材を、充分に長くすれば、この問題は解決できるが、
１．排水口の開口時、弁部材が、洗面ボウル即ち槽体の底面から排水の為に必要な幅以上に突出すると、意匠性が悪い
２．洗面台であれば、洗面ボウル下方のキャビネット内はタオルや石鹸等の収納空間であり、排水栓本体等の配管部材がキャビネット内の収納空間に突出するのは、収納性を悪化させる。
浴槽の場合、浴槽下の空間を高くするとその分浴槽のまたぎ高さが高くなって浴槽の使用が不便になる。更に、浴槽下の空間に高さ幅が必要になると、その分浴室の床面を高くする必要がある。通常浴室の床面はその階の床面において最も低い位置となるように設けられるから、浴室の床面が高くなると、その階の床面全体も高くする必要が生じ、その分、居住空間が上下方向に狭くなる、または建物全体の高さを高くするなどの多大な不利益が生じる。
といった更なる問題を生じさせる。
第二の従来例の遠隔操作式排水栓装置の場合、磁性体の引力を利用して弁部材を上昇させるため、上記第一の従来例のような、磁力強さの調整に関する問題は生じることは無い。
しかし、第二の従来例では、第二の磁石部として、弁部材を引き上げるために電力により磁力を生じる電磁石を使用している。このため、弁部材を上昇させ、排水口を開口させた状態を維持するには、常に第二の磁石部に通電を行わなければならず、電気代等のランニングコストが高額になり、また機器に加わる負担も増大する、という問題がある。
洗面台の場合、排水口を閉塞するのは、洗濯や洗面台を使っての洗髪などごく限られた場合で、ほとんどの場合は排水口を開口しているため、開口状態を維持するための通電もほとんどの場合において行わなければならず、これらの費用・機器への負担も大きなものとなる。
浴槽の場合、入浴時には排水口は当然閉塞されており、洗面ボウルに比べれば排水口が閉塞している時間はずっと長いと言えるが、それでも浴槽内の排水を行ってから再度湯張りを行うまで数時間程度の間が空くことは普通であり、その間排水口は開口した状態となる場合がほとんどである。
また、近年のライフスタイルでは、浴槽に入らずシャワーだけで入浴を済ます場合もある。この場合、浴槽の排水口は開口したままが普通であり、このような使用方法を行う場合では洗面ボウル以上に開口状態の時間が長いと言える。特に浴槽の場合、洗面ボウルよりも槽体の高さが高く、その分、弁部材に加わる水圧の加重も大きくなり、より強力な磁性体が必要になる。当然、電磁石である第二の磁石部に必要な磁力強さも大きくする必要があり、その分、ランニングコストや機器への負担が増大することになる。
本発明は上記問題点に鑑み発明されたものであって、磁性体を利用した遠隔操作式排水栓装置において、
１．槽体毎に磁力強さ等を調整する必要が無い
２．弁部材の上昇／下降の状態を維持するのに問題となるような負担が無い
３．永久磁石に代えて電磁石を磁性体に利用しても、ランニングコストや機器等への負担が少ない遠隔操作式排水栓装置を提供するものである。
【課題を解決するための手段】
【００１０】
請求項１に記載の本発明は、槽体に設けられた排水口を遠隔操作的に開閉するための遠隔操作式排水栓装置であって、槽体に開口した排水口と、上下動によって排水口を開閉する弁部材と、排水口の開閉を操作する操作部と、操作部の操作に対応して水平方向に動作する水平作動部と、水平作動部の水平方向の動作を垂直方向の動作に変換して弁部材を上下動させる垂直作動部と、からなり、水平作動部の水平動作を、部材間に引力又は斥力を生じさせる磁性体によって行うように構成したことを特徴とする遠隔操作式排水栓装置である。
【００１１】
請求項２に記載の本発明は、上記磁性体が電力によって磁力を生じる電磁石によって構成されてなることを特徴とする、段落００１０に記載の遠隔操作式排水栓装置である。
【００１２】
請求項３に記載の本発明は、槽体に設けられた排水口を遠隔操作的に開閉するための遠隔操作式排水栓装置であって、槽体に開口した排水口と、上下動によって排水口を開閉する弁部材と、排水口の開閉を操作する操作部と、操作部の操作に対応して水平方向に移動する水平作動部と、水平作動部の水平方向の動作を垂直方向の動作に変換して弁部材を上下動させる垂直作動部と、からなり、垂直作動部と弁部材間との動作の伝達を、部材間に引力を生じさせる磁性体によって行うように構成したことを特徴とする遠隔操作式排水栓装置である。
【００１３】
請求項４に記載の本発明は、槽体に設けられた排水口を遠隔操作的に開閉するための遠隔操作式排水栓装置であって、槽体に開口した排水口と、上下動によって排水口を開閉する弁部材と、排水口の開閉を操作する操作部と、操作部の操作に対応して水平方向に移動する水平作動部と、水平作動部の水平方向の動作を垂直方向の動作に変換して弁部材を上下動させる垂直作動部と、からなり、垂直作動部と弁部材間との動作の伝達を、部材間に引力又は斥力を生じさせる磁性体によって、弁部材の側面方向から行うように構成したことを特徴とする遠隔操作式排水栓装置である。
【００１４】
請求項５に記載の本発明は、上記遠隔操作式排水栓装置において、水平作動部と垂直作動部のいずれか一方、または両方に傾斜面を設け、該傾斜面によって水平作動部の水平方向への動作を垂直作動部の垂直方向への動作に変換することを特徴とする、段落００１０乃至段落００１３のいずれか一つに記載の遠隔操作式排水栓装置である。
【００１５】
請求項６に記載の本発明は、上記遠隔操作式排水栓装置において、水平作動部の水平方向への動作が、回転動作によって行われることを特徴とする、段落００１０乃至段落００１４のいずれか一つに記載の遠隔操作式排水栓装置である。
【００１６】
請求項７に記載の本発明は、上記遠隔操作式排水栓装置において、磁性体の磁力により、排水の流路の壁面を超えて動作が伝達されるように構成したことを特徴とする、段落００１０乃至段落００１５のいずれか一つに記載の遠隔操作式排水栓装置である。
【００１７】
請求項８に記載の本発明は、上記遠隔操作式排水栓装置において、排水口からの排水が流れる排水流路の、弁部材よりも下流側に逆流防止弁を着脱自在に配置すると共に、弁部材を排水口から取り外した状態で、逆流防止弁を排水口から取り出し可能としたことを特徴とする、段落００１０乃至段落００１６のいずれか一つに記載の遠隔操作式排水栓装置である。
尚、ここでいう「逆流防止弁」とは、気体・液体等の、全ての物体・流体の逆流を防ぐ機能を有する逆流防止弁に限定されるものではない。例えば気体と害虫類等のみの逆流を防ぎ、液体の逆流に対しては有効ではない封水式排水トラップ等、特定の目的物のみの逆流を防ぐ機能しか有さない逆流防止弁も含むものである。
【発明の効果】
【００１８】
請求項１、請求項３に記載の本発明では、遠隔操作式排水栓装置において、弁部材の動作や動作の伝達に磁性体の磁力を用いつつ、弁部材の上下動を行う為の垂直作動部の垂直動作自体は、磁性体の磁力ではなく、水平作動部の水平動作によって行われる。垂直作動部の上下動の幅は、水平作動部の水平動作を垂直動作に変換する機構の構成を工夫することで、水平方向への動作幅や磁性体の磁力強さに関係なく自由に調整することができる。
請求項４に記載の本発明では、遠隔操作式排水栓装置において、弁部材と垂直作動部との動作の伝達に、磁性体の磁力を弁部材の側面方向から作用させて行っている。このように構成しても、弁部材が動作する上下方向に磁力が直接作用しないため、請求項１、請求項３の遠隔操作式排水栓装置と同様に、弁部材の上下動の幅は、磁性体の磁力強さに関係なく自由に調整することができる。
従って、請求項１、請求項２、請求項４に記載の遠隔操作式排水栓装置は、磁石式の遠隔操作式排水栓装置の長所である、排水口や排水栓本体内に障害物を生じない、という効果を奏しつつ、且つ第一の従来例にあった、「槽体の深さ毎に磁性体の磁力強さを調整する必要がある」及び「槽体内が空の場合、弁部材が排水口から飛び出してしまう」といった問題を解決することができる。
請求項２に記載の本発明においては、水平作動部の水平動作を電磁石によって行うことができる。本発明においては、水平作動部を動作させるときのみ応力（磁力）が必要で、水平作動部の位置を維持することには応力（磁力）は不要のため、継続して通電を行う必要が無く、磁性体に通電によって磁力を発生させる電磁石を利用するのに好適である。
請求項５に記載の本発明においては、水平作動部の水平方向の動作を垂直作動部の垂直方向の動作に変換する具体的構成の一つを明確にできる。
請求項６に記載の本発明では、水平作動部の動作の方向を回転動作としたことで、水平作動部をコンパクトにすることができる。
請求項７に記載の本発明では、磁性体の引力又は斥力により、排水流路の内外を超えて動作が伝達されるように構成したことで、駆動部の一部又は全部を排水流路の外側に配置することができ、排水中の塵芥等が付着することによって駆動部が正常に作動しなくなる、という問題を解決することができる。
請求項８に記載の本発明では、磁性体の引力又は斥力を利用して遠隔操作式排水栓装置の操作を弁部材に伝達するように構成したことで、排水口内部にレリースワイヤ等の障害物を配置する必要が無くなり、逆流防止弁を排水口から取り出すことができる。
【図面の簡単な説明】
【００１９】
【図１】第一実施例の遠隔操作式排水栓装置の施工状態を示す断面図である。
【図２】第一実施例の遠隔操作式排水栓装置を示す断面図である。
【図３】第一実施例の遠隔操作式排水栓装置の一部を切欠きした斜視図である。
【図４】第一実施例の遠隔操作式排水栓装置の部材構成を示す参考図である。
【図５】第一実施例の水平作動部及び垂直作動部であって、（ａ）は平面図、（ｂ）は側面図、（ｃ）は斜視図である。
【図６】第一実施例の遠隔操作式排水栓装置の動作を示す参考図である。
【図７】第一実施例の遠隔操作式排水栓装置の動作を示す参考図である。
【図８】第一実施例の遠隔操作式排水栓装置の動作を示す参考図である。
【図９】第一実施例の遠隔操作式排水栓装置の動作を示す参考図である。
【図１０】第一実施例の遠隔操作式排水栓装置の動作を示す参考図である。
【図１１】第一実施例の遠隔操作式排水栓装置の動作を示す参考図である。
【図１２】第二実施例の遠隔操作式排水栓装置の施工状態を示す断面図である。
【図１３】第二実施例の遠隔操作式排水栓装置を示す断面図である。
【図１４】第二実施例の遠隔操作式排水栓装置の、ケーシング部を省略した斜視図である。
【図１５】第二実施例の遠隔操作式排水栓装置の部材構成を示す参考図である。
【図１６】第二実施例の遠隔操作式排水栓装置の歯車部と係合歯の噛み合いを示す参考図である。
【図１７】第二実施例の水平作動部及び垂直作動部の斜視図である。
【図１８】第二実施例の遠隔操作式排水栓装置の動作を示す参考図である。
【図１９】第二実施例の遠隔操作式排水栓装置の動作を示す参考図である。
【図２０】第二実施例の遠隔操作式排水栓装置の動作を示す参考図である。
【図２１】第二実施例の遠隔操作式排水栓装置の動作を示す参考図である。
【図２２】第二実施例の遠隔操作式排水栓装置の動作を示す参考図である。
【図２３】第三実施例の遠隔操作式排水栓装置の施工状態を示す断面図である。
【図２４】第三実施例の遠隔操作式排水栓装置を示す、一部を切欠きした参考図である。
【図２５】第三実施例の遠隔操作式排水栓装置の部材構成を示す参考図である。
【図２６】第三実施例の排水栓本体内の構造を示す参考図である。
【図２７】第三実施例の遠隔操作式排水栓装置の動作を示す参考図である。
【図２８】第三実施例の遠隔操作式排水栓装置の動作を示す参考図である。
【図２９】第三実施例の遠隔操作式排水栓装置の動作を示す参考図である。
【図３０】第三実施例の遠隔操作式排水栓装置の動作を示す参考図である。
【図３１】第三実施例の遠隔操作式排水栓装置の動作を示す参考図である。
【図３２】第三実施例の遠隔操作式排水栓装置の動作を示す参考図である。
【図３３】第三実施例の遠隔操作式排水栓装置の動作を示す参考図である。
【図３４】第四実施例の遠隔操作式排水栓装置の施工状態を示す断面図である。
【図３５】第四実施例の遠隔操作式排水栓装置を示す、一部を切欠きした参考図である。
【図３６】第四実施例の遠隔操作式排水栓装置の部材構成を示す参考図である。
【図３７】第四実施例の遠隔操作式排水栓装置を示す、一部を切欠きした参考図である。
【図３８】第四実施例の遠隔操作式排水栓装置の動作を示す参考図である。
【図３９】第四実施例の遠隔操作式排水栓装置の動作を示す参考図である。
【図４０】第四実施例の遠隔操作式排水栓装置の動作を示す参考図である。
【図４１】第四実施例の遠隔操作式排水栓装置の動作を示す参考図である。
【図４２】第四実施例の遠隔操作式排水栓装置の動作を示す参考図である。
【図４３】第四実施例の遠隔操作式排水栓装置の動作を示す参考図である。
【実施例】
【００２０】
以下に、本発明の第一実施例について、図面を参照しつつ説明する。
図１乃至図１１に示した、本発明の第一実施例の遠隔操作式排水栓装置は、以下に記載する、槽体としての洗面台Ｓ、排水栓本体１、弁部材２、継手部材１１、駆動部、操作部３、レリースワイヤ９、他トラップ部Ｔ等の配管部材Ｐより構成されてなる。
洗面台Ｓは、上方が開口した箱体であって、底面には排水栓本体１を、天面部には操作部３を、それぞれ取り付ける孔部を有した洗面ボウルＳ１と、
該洗面ボウルＳ１を載置するキャビネットＳ２部と、から構成されてなる。
排水栓本体１は、内部に排水口１ａを形成する略円筒形状の部材であって、上縁に外方向に突出したフランジ部を、側面に雄ネジを、それぞれ備えてなり、洗面ボウルＳ１の底面に取り付けられる。また、排水栓本体１の雄ネジと螺合する雌ネジを備えたナット部材１ｂを備えてなる。
弁部材２は、排水口１ａを閉塞する円盤状の弁体２ａと、該弁体２ａの中央から下方に向かって垂下される弁軸部２ｂ、及び弁軸部２ｂの下端に備えた、リング状であって脚によって弁軸部２ｂに接続されるリング部１０、リング部１０外側面に固定された磁性体である第一の磁石部Ｍ１、から構成されてなる。
継手部材１１は排水栓本体１の下流側に接続される直線状の管体からなる部材であって、排水栓本体１の下方に配置される。該継手部材１１の上流側には、排水栓本体１の雄ネジに螺合する袋ナット１１ａが接続されており、この袋ナット１１ａを利用して、排水栓本体１の下端に継手部材１１を接続できる。また、継手部材１１の側面には、下記の水平作動部４、垂直作動部５、及び水平作動部４と垂直作動部５を収納するケーシング部６、からなる駆動部が設けられてなる。
水平作動部４は、図５に示したように、側面視は長方形の上方に内角の内の二か所が垂直を成す台形を載置したような形状であり、平面視は長方形形状を成すと共に、平面視において、継手部材１１を収納する、トラック状開口部４ａを備えてなる。台形の傾斜面７が成す角度は、水平面に対して３０度程度である。
トラック状開口部４ａについて、図５に基づいて詳述すると、長方形形状の長辺の両端部分に、短辺と等しい直径を有する半円を正接させた形状である。
また、トラック状開口部４ａの両端の円弧の直径は、継手部材１１の外径よりも若干大きく、このため、水平作動部４は、このトラック状開口部４ａ内に継手部材１１を収納した状態で、水平方向に水平動作することができる。
また、水平作動部４は、外側面に、水平移動を行う為のガイド用突起部１２を数か所設けてなる。
また、水平作動部４は、傾斜面７の対向面に、インナーワイヤ９ｂ端部を固定するインナーワイヤ固定部４ｂを備えてなる。
垂直作動部５は、図５に示したように、側面視は長方形の下方に内角の内の二か所が垂直を成す台形を取り付けたような形状であり、台形の傾斜面７がなす角度は、水平作動部４の傾斜面７と同じ３０度程度である。また垂直作動部５の平面視は正方形形状を成すと共に、平面視において、継手部材１１を収納する、継手部材１１の外径よりも若干大きな円形開口部５ａを設けてなる。
また、平面視における垂直作動部５の正方形の一辺の長さは、平面視の水平作動部４の短辺の長さに等しい。
また、この円形開口部５ａの内周面に、第一の磁石部Ｍ１に対して引力を生じる向きに調整された磁性体である、第二の磁石部Ｍ２を配置固定してなる。
ケーシング部６は、上方から順に、垂直作動部５、水平作動部４、の両部材を収納するための箱体の部材であって、垂直作動部５の上下動作及び水平作動部４の水平動作を許容する内部空間と、水平作動部４のガイド用突起部１２に対応する、水平方向に設けた溝部１３が設けられてなる。
また、ケーシング部６は、水平作動部４のインナーワイヤ固定部４ｂの位置に合わせて、レリースワイヤ９のアウターチューブ９ａ端部を固定するアウターチューブ固定部６ａを備えてなる。
ケーシング部６内に収納された水平作動部４は、水平作動部４のガイド用突起部１２が溝部１３に収納された状態で動作することで、回転や傾斜等することなく水平方向に移動可能となる。
また、ケーシング部６内に収納された垂直作動部５は、円形開口部５ａ内に継手部材１１を収納しつつ、その外側面がケーシング部６の内側面に接することで、回転や傾斜等することなく垂直方向に上下動可能となる。
操作部３は、洗面ボウルＳ１の天板部に取り付けられる部材であって、ツマミ部３ａを設けてなり、ツマミ部３ａの押し引きの操作により弁部材２を上下動させる。
レリースワイヤ９は、側面方向に可撓性を備え軸方向に剛性を備えた中空のアウターチューブ９ａと、該アウターチューブ９ａ内部に収納され、軸方向に摺動自在に動作するインナーワイヤ９ｂと、からなる。
また、継手部材１１の下流側端部は、管体をＳ字形状に屈曲させたトラップ部Ｔを含む配管部材Ｐを介して、下水側の配管に繋がる床下配管に接続されてなる。
【００２１】
上記のように構成した遠隔操作式排水栓装置は、以下のようにして、槽体である洗面台Ｓの洗面ボウルＳ１に施工される。
まず、排水栓本体１を、洗面ボウルＳ１底面に設けられた孔部に挿通し、フランジ部の下面を、孔部の周縁上面に当接した状態とする。更にナット部材１ｂの雌ネジを、排水栓本体１の雄ネジに螺合させ、フランジ部下面とナット部材１ｂ上面とで孔部の周縁を挟持するようにして排水栓本体１を洗面ボウルＳ１に固定する。
次に、操作部３を天板部に設けた孔部に取り付け固定する。
次に、駆動部が取り付けられた状態の継手部材１１を、排水栓本体１の下流側端部に接続する。
接続には継手部材１１の袋ナット１１ａの雌ネジを排水栓本体１の雄ネジに螺合させる。
駆動部について詳述すると、ケーシング部６が継手部材１１に挿通された状態にて固定されており、ケーシング部６内部にて、上方から順に、垂直作動部５、水平作動部４、がそれぞれ配置されてなる。垂直作動部５の円形開口部５ａ、水平作動部４のトラック状開口部４ａは、いずれも継手部材１１の外側面に挿通されてなる。また、水平作動部４のガイド用突起部１２は、溝部１３内に収納されてなる。
次に、レリースワイヤ９の一端を駆動部に、他端を操作部３に、それぞれ接続する。
レリースワイヤ９と駆動部の接続について詳述すると、レリースワイヤ９の、インナーワイヤ９ｂ端部を水平作動部４のインナーワイヤ固定部４ｂに、アウターチューブ９ａ端部をケーシング部６のアウターチューブ固定部６ａに、それぞれ固定する。
上述のように、インナーワイヤ９ｂは、インナーワイヤ固定部４ｂにおいて水平作動部４に固定されており、また詳述しないが、操作部３側のインナーワイヤ９ｂも操作部３のツマミ部３ａに固定されてなる。このため、操作部３側でのツマミ部３ａの押し操作によって、インナーワイヤ９ｂを介し、水平作動部４は前進すると共に、ツマミ等の引き操作によって水平作動部４は後退するように構成されてなる（従来例同様、インナーワイヤ９ｂを継手部材１１側に移動させた状態を「前進」、操作部３側に移動させた状態を「後退」と記載する）。
次に、トラップ部Ｔを備えた排水配管を介して、継手部材１１と床下配管を接続する。
更に、排水口１ａ内に弁部材２の第一の磁石部Ｍ１及び弁軸部２ｂを配置して、本実施例の遠隔操作式排水栓装置の施工が完了する。
【００２２】
以下に、上記第一実施例の遠隔操作式排水栓装置の動作について説明する。尚、動作を説明する図６乃至図１１においては、説明を容易にするため、排水栓本体１、弁部材２、水平作動部４、垂直作動部５のみ図示してなる（それぞれの部材の位置関係、及び動作は、施工が完了し、実際の使用時の各部材の動作に基づいて図示する）。
上記第一実施例の遠隔操作式排水栓装置を使用する場合、まず操作部３のツマミ部３ａに引き操作を加えてインナーワイヤ９ｂが操作部３側に移動した状態とする。この時、駆動部のケーシング部６内の、水平作動部４及び垂直作動部５の状態は、図６のように、水平作動部４が操作部３側に後退し、垂直作動部５は水平作動部４上であって、水平作動部４の傾斜面７上に垂直作動部５の傾斜面７が当接した状態にて配置されてなる。この状態においては、弁部材２は降下し、排水口１ａは弁体２ａに覆われるようにして閉口してなる。弁体２ａが排水口１ａ周縁にて当接し、リング部１０が吊り下げられた状態となっているため、この時、弁部材２の第一の磁石部Ｍ１の高さ位置は、垂直作動部５の第二の磁石部Ｍ２の高さ位置よりも高い高さ位置となる。
この状態より、操作部３のツマミ部３ａに押し込み操作を行い、インナーワイヤ９ｂ及び水平作動部４を、継手部材１１側に前進させると、垂直作動部５が、水平作動部４の傾斜面７に沿って上昇する。図７のように、垂直作動部５の第二の磁石部Ｍ２が、弁部材２の第一の磁石部Ｍ１の高さ位置に達すると、継手部材１１の壁面を介して、そのまま第一の磁石部Ｍ１が第二の磁石部Ｍ２と引き合い、垂直作動部５の上昇に合わせて弁部材２も上昇する。
そのまま、図８、図９の状態を経て、最終的に、図１０のように、垂直作動部５の傾斜面７が水平作動部４の傾斜面７を超え、垂直作動部５の底面が水平作動部４の上面に乗り上げた状態となる。
この時、弁部材２は第一の磁石部Ｍ１と第二の磁石部Ｍ２との引力によって、垂直作動部５に連動して上昇し、弁体２ａが排水口１ａから離間して排水口１ａが開口される。
洗面ボウルＳ１内に吐水が溜まっていた場合、吐水は排水口１ａから排水栓本体１内、継手部材１１、排水配管内を介し、最終的に床下配管から下水側に排出される。
この状態より操作部３のツマミ部３ａに引き操作を行い、再びインナーワイヤ９ｂが操作部３側に後退した状態とすると、水平作動部４はケーシング部６内を水平に動作し、合わせて垂直作動部５も水平作動部４上面から水平作動部４の傾斜面７上に沿って上下動し、図１０から図９、図８、図７の状態を経て、最終的には図６の状態に戻る。
弁部材２も、弁部材２を引き上げていた垂直作動部５が降下することから、垂直作動部５と共に降下し、弁体２ａが排水口１ａ周辺に当接することで排水口１ａを閉塞した状態となる。垂直作動部５はそのまま水平作動部４の傾斜面７に沿って降下するが、弁部材２は弁体２ａが排水口１ａ周辺に当接することでそのままその位置にて停止する。
以降、この操作を繰り返すことで、操作部３を操作することにより、遠隔操作にて排水口１ａを開閉することができる。
尚、第一の磁石部Ｍ１と第二の磁石部Ｍ２の磁力強さが充分に強いと、第二の磁石部Ｍ２が固定されている垂直作動部５は、第一の磁石部Ｍ１に引き寄せられ、図１１のように、第一の磁石部Ｍ１に吊り上げられるようにして上昇したままの状態となることがある。この場合でも、図６の状態が図１１の状態に変わるだけで、操作部３への操作により、排水口１ａが閉口した図１１の状態から図７、図８、図９の状態を経て図１０の状態となって排水口１ａを開口し、排水口１ａが開口した図１０の状態から図９、図８、図７の状態を経て図１１の状態となって排水口１ａを閉口することができる。
このように、本実施例の遠隔操作式排水栓装置は、水平作動部４及び垂直作動部５にて弁部材２を上下動させ排水口１ａを開閉する遠隔操作式排水栓装置であり、且つ垂直作動部５と弁部材２間との動作の伝達は、両部材間に磁力を生じさせる磁性体によって、弁部材２の側面方向から、排水の流路を形成する部材（継手部材１１）の壁面を超えて行われている。また、水平作動部４の水平動作は傾斜面７により垂直作動部５の垂直動作に変換される。
【００２３】
上記第一の実施例においては、弁部材２の上下動幅は、各磁石部の磁力強さと関係なく、垂直作動部５及び水平作動部４の傾斜面７の高さ幅によって決定することができる。
第一の磁石部Ｍ１と第二の磁石部Ｍ２の磁力強さが、槽体満水時の水圧に対抗するのに不充分な強さであると、弁部材２が垂直作動部５の動作に連動することができず、排水口１ａが閉口したままとなるが、磁力強さと弁部材２の上昇幅には何ら関係が無いから、磁力強さは必要なだけ強くすることができる。
よって、最も水圧による加重が強く作用する遠隔操作式排水栓装置の事例（従来例であれば、段落０００９の第二の事例）に合わせて、第一の磁石部Ｍ１と第二の磁石部Ｍ２の磁力強さを設定すれば、最も水圧による加重が小さく作用する遠隔操作式排水栓装置の事例（従来例であれば、段落０００９の第一の事例）であっても、遠隔操作式排水栓装置を支障なく使用することができ、槽体や部材毎に仕様を変える必要が無くなり、部材の共通化が図れる。
また、排水口１ａから飛び出させないために弁部材２を長くする、という必要も無いため、排水栓本体１や継手部材１１を長くする必要も無く、遠隔操作式排水栓装置の部材や排水配管がキャビネットＳ２内の収納空間内に必要以上に突出したり、浴槽Ｂの排水口１ａに応用した場合に浴槽Ｂ下の空間を高く取る必要も無い。また、排水口１ａの開口時弁部材２が必要以上に上昇して意匠性を悪化させる、という問題も生じない。
また、弁部材２が上昇している状態は、水平作動部４上に垂直作動部５が乗り上げている状態であって、この乗り上げた状態を維持することには何ら労力が必要とされないため、ランニングコストや機器への負担が増大することも無い。
また、当然ながら、磁性体の磁力を利用し、磁力を介して弁部材２を上昇させる構造としたことで、排水口１ａ内に障害物が生じない遠隔操作式排水栓装置として構成されており、塵芥が溜まりにくく、且つ弁部材２を排水口１ａから取り出すことで、清掃を容易に行うことができる構造である。
【００２４】
以下に、本発明の第二実施例について、図面を参照しつつ説明する。
図１２乃至図２２に示した、本発明の第二実施例の遠隔操作式排水栓装置は、以下に記載する、槽体としての洗面台Ｓ、排水栓本体１、弁部材２、継手部材１１、駆動部、操作部３、レリースワイヤ９、他トラップ部Ｔ等の配管部材Ｐより構成されてなる。
洗面台Ｓは、上方が開口した箱体であって、底面には排水栓本体１を、天面部には操作部３を、それぞれ取り付ける孔部を有した洗面ボウルＳ１と、該洗面ボウルＳ１を載置するキャビネットＳ２部と、から構成されてなる。
排水栓本体１は、内部に排水口１ａを形成する略円筒形状の部材であって、上縁に外方向に突出したフランジ部を、側面に雄ネジを、それぞれ備えてなり、洗面ボウルＳ１の底面に取り付けられる。また、排水栓本体１の雄ネジと螺合する雌ネジを備えたナット部材１ｂを備えてなる。
弁部材２は、排水口１ａを閉塞する円盤状の弁体２ａと、該弁体２ａの中央から下方に向かって垂下される弁軸部２ｂ、及び弁軸部２ｂの下端に備えた、リング状であって脚によって弁軸部２ｂに接続されるリング部１０、リング部１０外側面に固定された磁性体である第一の磁石部Ｍ１、から構成されてなる。
継手部材１１は排水栓本体１の下流側に接続される直線状の管体からなる部材であって、排水栓本体１の下方に配置される。該継手部材１１の上流側には、排水栓本体１の雄ネジに螺合する袋ナット１１ａが接続されており、この袋ナット１１ａを利用して、排水栓本体１の下端に継手部材１１を接続できる。また、継手部材１１の側面には、下記の水平作動部４、垂直作動部５、及び水平作動部４と垂直作動部５を収納するケーシング部６、からなる駆動部が設けられてなる。
水平作動部４は、図１７等に示したように、円筒形状で、その内径は、継手部材１１の外径よりも若干大径に形成されてなる。
更に、水平作動部４の上方には、円筒形状の周縁に沿って等脚台形形状部分を、軸対称に４か所備えてなる。台形の傾斜面７が成す角度は、水平面に対して３５度程度である。
また、水平作動部４の側面には歯車部４ｃを備えると共に、底面は円筒の中心軸に対して垂直を成す平坦面に形成されてなる。
垂直作動部５は、図１７等に示したように、円筒形状で、その内径は、継手部材１１の外径よりも若干大径に形成されてなる。
更に、垂直作動部５の下方には、円筒形状の周縁に沿って等脚台形形状部分を、軸対称に４か所備えてなる。台形の傾斜面７が成す角度は、水平面に対して３５度程度である。
また、この円形開口部５ａの内周面に、第一の磁石部Ｍ１に対して引力を生じる向きに調整された磁性体である、第二の磁石部Ｍ２を配置固定してなる。
また、垂直作動部５の外側面には、継手部材１１の外側面に沿って回動することを防止するためのガイド用突起部１２を備えてなる。
ケーシング部６は、上方から、垂直作動部５、水平作動部４、の順に両部材を収納するための略円筒形状を成す部材であって、その内側面には、垂直作動部５のガイド用突起部１２に対応する、垂直方向に設けた溝部１３が設けられてなる。
また、ケーシング部６は、水平作動部４の歯車部４ｃの位置に合わせて、レリースワイヤ９のアウターチューブ９ａ端部を固定するアウターチューブ固定部６ａと、インナーワイヤ９ｂ先端のロッド部９ｃの動作をガイドするガイド筒を備えてなる。
ケーシング部６内に収納された垂直作動部５は、その内径部分に継手部材１１を収納しつつ、ガイド用突起部１２がケーシング部６の溝部１３に収納されることで、回転や傾斜等することなく垂直方向に上下動可能となる。
操作部３は、洗面ボウルＳ１の天板部に取り付けられる部材であって、ツマミ部３ａを設けてなり、ツマミ部３ａの押し引きの操作により弁部材２を上下動させる。
レリースワイヤ９は、側面方向に可撓性を備え軸方向に剛性を備えた中空のアウターチューブ９ａと、該アウターチューブ９ａ内部に収納され、軸方向に摺動自在に動作するインナーワイヤ９ｂと、インナーワイヤ９ｂ先端に備えた、直線状にして水平作動部４の歯車部４ｃに歯合する係合歯９ｄを備えたロッド部９ｃと、からなる。
また、継手部材１１の下流側端部は、管体をＳ字形状に屈曲させたトラップ部Ｔを含む配管部材Ｐを介して、下水側の配管に繋がる床下配管に接続されてなる。
【００２５】
上記のように構成した遠隔操作式排水栓装置は、以下のようにして、槽体である洗面台Ｓの洗面ボウルＳ１に施工される。
まず、排水栓本体１を、洗面ボウルＳ１底面に設けられた孔部に挿通し、フランジ部の下面を、孔部の周縁上面に当接した状態とする。更にナット部材１ｂの雌ネジを、排水栓本体１の雄ネジに螺合させ、フランジ部下面とナット部材１ｂ上面とで孔部の周縁を挟持するようにして排水栓本体１を洗面ボウルＳ１に固定する。
次に、操作部３を天板部に設けた孔部に取り付け固定する。
次に、駆動部が取り付けられた状態の継手部材１１を、排水栓本体１の下流側端部に接続する。
接続には継手部材１１の袋ナット１１ａの雌ネジを排水栓本体１の雄ネジに螺合させる。
駆動部について詳述すると、ケーシング部６が継手部材１１に挿通された状態にて固定されており、ケーシング部６内部にて、上方から順に、垂直作動部５、水平作動部４、がそれぞれ配置されてなる。垂直作動部５及び水平作動部４の円筒部分の内側は、いずれも継手部材１１の外側面に挿通されてなる。
次に、レリースワイヤ９の一端を駆動部に、他端を操作部３に、それぞれ接続する。
レリースワイヤ９と駆動部の接続について詳述すると、レリースワイヤ９の、インナーワイヤ９ｂ端部にあるロッド部９ｃを、図１４及び図１６に示したように、水平作動部４の歯車部４ｃとをロッド部９ｃの係合歯９ｄとが噛み合う状態とした上で、ケーシング部６のガイド部６ｂに挿通する。更にアウターチューブ９ａ端部をケーシング部６のアウターチューブ固定部６ａに固定する。
上述のように、インナーワイヤ９ｂは、インナーワイヤ固定部４ｂにおいて水平作動部４に固定されており、また詳述しないが、操作部３側のインナーワイヤ９ｂも操作部３のツマミ部３ａに固定されてなる。このため、操作部３側でのツマミ部３ａの押し操作によって水平作動部４は前進すると共に、ツマミ部３ａの引き操作によって水平作動部４は後退するように構成されてなる（従来例同様、インナーワイヤ９ｂを継手部材１１側に移動させた状態を「前進」、操作部３側に移動させた状態を「後退」と記載する）。
次に、トラップ部Ｔを備えた排水配管を介して、継手部材１１と床下配管を接続する。
更に、排水口１ａ内に弁部材２の第一の磁石部Ｍ１及び弁軸を配置して、本実施例の遠隔操作式排水栓装置の施工が完了する。
【００２６】
以下に、上記第二実施例の遠隔操作式排水栓装置の動作について説明する。尚、動作を説明する図１８乃至図２２においては、説明を容易にするため、排水栓本体１、弁部材２、水平作動部４、垂直作動部５のみ図示してなる（それぞれの部材の位置関係、及び動作は、施工が完了し、実際の使用時の各部材の動作に基づいて図示する）。
上記第二実施例の遠隔操作式排水栓装置を使用する場合、まず操作部３に操作（引き操作）を加えてインナーワイヤ９ｂが操作部３側に移動した状態とする。この時、ケーシング部６内の、水平作動部４及び垂直作動部５は、図１８のように、水平作動部４の傾斜面７と垂直作動部５の傾斜面７とが同じ高さ位置となる位置にて配置されてなる。この状態においては、弁部材２は降下し、排水口１ａは弁体２ａに覆われるようにして閉口してなる。
この状態より、操作部３に押し込み操作を行い、インナーワイヤ９ｂ及び水平作動部４を、継手部材１１側に前進させると、インナーワイヤ９ｂのロッド部９ｃの係合歯９ｄが、水平作動部４の歯車部４ｃと噛み合い、ロッド部９ｃの前進に伴って水平作動部４が排水栓本体１の円周に沿って回転する。
水平作動部４の傾斜面７と垂直作動部５の傾斜面７が当接した後、更に水平作動部４が回転動作を行うことで、垂直作動部５の傾斜面７が、水平作動部４の傾斜面７に乗り上げ、水平作動部４の回動に伴って垂直作動部５が上昇する。垂直作動部５の第二の磁石部Ｍ２が、弁部材２の第一の磁石部Ｍ１の高さ位置に達すると、継手部材１１の壁面を介して、そのまま第一の磁石部Ｍ１が第二の磁石部Ｍ２と引き合い、垂直作動部５の上昇に合わせて弁部材２も上昇する。
最終的に、図１９、図２０、図２１の状態を経て、図２２のように、垂直作動部５の傾斜面７が水平作動部４の傾斜面７を超え、垂直作動部５の底面が水平作動部４の上面に乗り上げた状態となる（この図２２の状態でインナーワイヤ９ｂの前進が止まるように操作部３のツマミ部３ａの押し引きの長さは調整されてなる）。
この時、弁部材２は第一の磁石部Ｍ１と第二の磁石部Ｍ２との引力によって、垂直作動部５に連動して上昇し、弁体２ａが排水口１ａから離間して排水口１ａが開口される。
洗面ボウルＳ１内に吐水が溜まっていた場合、吐水は排水口１ａから排水栓本体１内、継手部材１１、排水配管内を介し、最終的に床下配管から下水側に排出される。
この状態より操作部３に操作（引き操作）を行い、再びインナーワイヤ９ｂが操作部３側に後退した状態とすると、水平作動部４はケーシング部６内を排水栓本体１の周縁に沿って水平方向に回転動作し、合わせて垂直作動部５も水平作動部４上面から水平作動部４の傾斜面７上に沿って上下動し、図２２の状態から、図２１、図２０、図１９の状態を経て、最終的には図１８の状態に戻る。
弁部材２も、弁部材２を引き上げていた垂直作動部５が降下することから、垂直作動部５と共に降下し、弁体２ａが排水口１ａ周辺に当接することで排水口１ａを閉塞した状態となる。垂直作動部５はそのまま水平作動部４の傾斜面７に沿って降下するが、弁部材２は弁体２ａが排水口１ａ周辺に当接することでそのままその位置にて停止する。
以降、この操作を繰り返すことで、操作部３を操作することにより、遠隔操作にて排水口１ａを開閉することができる。
尚、第一の磁石部Ｍ１と第二の磁石部Ｍ２の磁力強さが充分に強いと、第二の磁石部Ｍ２が固定されている垂直作動部５は、第一の磁石部Ｍ１に引き寄せられ、第一の磁石部Ｍ１に吊り上げられるようにして上昇したままの状態となることがある。この場合でも、図１８の状態が吊り上げられた状態に変わるだけで、操作部３への操作により、支障なく遠隔操作式排水栓装置の操作により排水口１ａを開閉することができる。
このように、本実施例の遠隔操作式排水栓装置は、水平作動部４及び垂直作動部５にて弁部材２を上下動させ排水口１ａを開閉する遠隔操作式排水栓装置であり、且つ垂直作動部５と弁部材２間との動作の伝達は、両部材間に磁力を生じさせる磁性体によって、弁部材２の側面方向から、排水の流路を形成する部材（継手部材１１）の壁面を超えて行われている。水平作動部４の水平動作は、回転動作によって行われ、また、水平作動部４の水平動作は傾斜面７により垂直作動部５の垂直動作に変換される。
【００２７】
上記第二の実施例においては、段落００２３に記載した、第一の実施例と同じ効果を有する。
更に、水平作動部４を円筒形状とし、レリースワイヤ９のインナーワイヤ９ｂの進退に合わせて水平作動部４を回転させる構造としたことで、第一実施例の遠隔操作式排水栓装置と比べてもよりコンパクトな構成とすることができる。
【００２８】
以下に、本発明の第三実施例について、図面を参照しつつ説明する。図２３乃至図３３に示した、本発明の第三実施例の遠隔操作式排水栓装置は、以下に記載する、槽体としての浴槽Ｂ、排水栓本体１、電動ユニット１５、弁部材２、継手部材１１、操作部３、逆流防止弁８等より構成されてなる。
浴槽Ｂは、上方が開口した箱体であって、底面には排水栓本体１を、上縁周縁には操作部３を、それぞれ取り付ける孔部を有してなる。
排水栓本体１は、内部に排水口１ａを形成する略円筒形状の部材であって、上縁に外方向に突出したフランジ部を、外側面上方に雄ネジを、それぞれ備えてなり、浴槽Ｂの底面の開口に取り付けられる。
また、排水栓本体１の外側面二か所に、後述する電動ユニット１５との位置決めを行う為の位置決め溝部１ｃを設けてなる。
また、排水栓本体１の雄ネジと螺合する雌ネジを備えたナット部材１ｂを備えてなる。
また、排水栓本体１の内周面には、円周に沿って連続した凹凸部１４を備えてなる。
該凹凸部１４について詳述すると、中心軸方向から見た凹凸部１４は、図２６に示したような、面対称を成す小傾斜面１４ａが上下異なる高さに形成され、この小傾斜面１４ａの端部同士を大傾斜面１４ｃ及び中傾斜面１４ｂによって接続するように構成されてなる、二回転対称形状である。
本実施例では、小径斜面の傾斜は水平面に対して１０度程度であって、対称面、即ち中央に向かう程下方に向かう傾斜面を成す。また、上方の小傾斜面１４ａを基準とする時、右側の端部に水平面に対して７５度程度の勾配を成す大傾斜面１４ｃが、右側の端部に水平面に対して２５度程度の勾配を成す中傾斜面１４ｂが、それぞれ下側の小傾斜面１４ａ端部に連続するように構成されてなる。
電動ユニット１５は、排水栓本体１を下方から覆うようにして接続固定される略リング状の部材であって、内部に通電により機能する電磁石からなる第二の磁石部Ｍ２を備えてなる。
第二の磁石部Ｍ２について詳述すると、第二の磁石部Ｍ２は電磁石からなり、図２６に示したように、下側の小傾斜面１４ａの左側下方に電磁石ＭＡが、下側の小傾斜面１４ａと中傾斜面１４ｂの継ぎ目部分のほぼ上方に電磁石ＭＢが、中傾斜面１４ｂのほぼ中央上方に電磁石ＭＣが、上側の小傾斜面１４ａの左側上方に電磁石ＭＤが、それぞれ配置されてなる。但し、第二の磁石部Ｍ２を成す各電磁石は電動ユニット１５の内側に配置されるのに対し、凹凸部１４は排水栓本体１の内側に形成されてなる。また、電磁石の強度も、電磁石ＭＡ乃至電磁石ＭＤでそれぞれ異なる。具体的な電磁石の強度は、図２７乃至図３３の円弧によって示す。詳述すると、例えば電磁石ＭＡに通電を行い、磁力を発生させると、後述する弁部材２の支持脚部１０ａにある第一の磁石部Ｍ１は電磁石ＭＡに反発し、電磁石ＭＡを中心として発生した磁界によって、円ａの外側位置にまで移動させられる。同様に、電磁石ＭＢの通電時には円ｂの、電磁石ＭＣの通電時には円ｃの、電磁石ＭＤの通電時には円ｄの、それぞれ外側に、弁部材２の支持脚部１０ａは移動させられる。
電動ユニット１５の内部には、排水栓本体１の位置決め溝部１ｃに対応する位置決め突条部１５ｂがあり、この位置決め突条部１５ｂを、排水栓本体１の位置決め溝部１ｃに沿って接続することで、排水栓本体１と第二の磁石部Ｍ２とを上述した位置関係に配置することができる。
また、上述のように凹凸部１４は二回転対称形状であり、各電磁石も電磁石ＭＡ乃至電磁石ＭＤ４種が２対、計８か所設けられている。これら第二の磁石部Ｍ２の電磁石は、電動ユニット１５に接続されるリード線Ｒを介して、後述する操作部３の制御部（図示せず）に接続される。
弁部材２は、排水口１ａを閉塞する円盤状の弁部材２と、該弁部材２の中央から下方に向かって垂下される弁軸部２ｂ、及び弁軸部２ｂの下端に備えた、リング状であって脚によって弁軸部２ｂに接続されるリング部１０、リング部１０外側面に固定された永久磁石からなる磁性体である第一の磁石部Ｍ１、から構成されてなる。
弁軸部２ｂと弁体２ａの接続箇所は、上下方向の動作については弁体２ａと弁軸は連動するが、回動については、弁体２ａと弁軸は、弁体２ａ及び弁軸の軸方向に自在に回転するように構成されてなる。
リング部１０について詳述すると、リング部１０の外径は、排水栓本体１の内径にほぼ等しく、またリング部１０の下方には支持脚部１０ａが二か所形成されてなる。支持脚部１０ａの高さ幅は、排水栓本体１の隣り合う小傾斜面１４ａの高さ幅よりも若干大きく、また支持脚部１０ａの下端面には、小傾斜面１４ａと合致する形状の傾斜が形成されてなる。また支持脚部１０ａの中心部分には、第二の磁石部Ｍ２に反発する極性方向に調整されて固定された永久磁石からなる磁性体である、第一の磁石部Ｍ１が埋め込まれるようにして固定されてなる。
上記のような支持脚部１０ａを備えた構成されたことで、リング部１０は、排水栓本体１の内周面の円形状に沿って水平方向に回動動作する水平作動部４と、水平方向への回動動作に対応して上下動する垂直作動部５の、両方の作動部の機能を一体に備えてなる。即ち、リング部１０が水平作動部４且つ垂直作動部５であり、駆動部である。
継手部材１１は排水栓本体１の下流側に接続されるＬ字状に屈曲した管体からなる部材であって、電動ユニット１５の下流側端部に接続配置される。
操作部３（本実施例では図示せず）は、浴槽Ｂ上縁の開口に取り付けられる部材であって、押しボタンと、制御部と、リード線Ｒとを備えてなる。施工完了時、電磁石からなる第二の磁石部Ｍ２は、操作部３の押しボタンを押し操作することで、制御部によって制御され、設定された順番に通電され、通電された順に磁力を発生させ、弁部材２を上下動させる。
逆流防止弁８は、シリコン等の弾性素材より形成され、平面視円形且つ側面視略三角形状であって、下端部分に弁部８ａが形成されてなり、通常時は弁部８ａが当接して下流側からの排水、臭気、害虫類などの逆流を防止し、上流側である排水口１ａからの排水が生じた際には水圧に応じて開口し、内部の排水を下流側に排出する。該逆流防止弁８は、施工完了時には、上縁部分が排水栓本体１と電動ユニット１５の接続箇所に生じる段差に係止されるようにして、水密的且つ排水口１ａから着脱自在に、排水栓本体１の内面に接続される。
【００２９】
上記のように構成した遠隔操作式排水栓装置は、以下のようにして、槽体である浴槽Ｂに施工される。
まず、排水栓本体１を、浴槽Ｂ底面に設けられた孔部に挿通し、フランジ部の下面を、孔部の周縁上面に当接した状態とする。更にナット部材１ｂの雌ネジを、排水栓本体１の雄ネジに螺合させ、フランジ部下面とナット部材１ｂ上面とで孔部の周縁を挟持するようにして排水栓本体１を浴槽Ｂに固定する。
次に、操作部３を天板部に設けた孔部に取り付け固定する。
次に、排水栓本体１に、下方から、電動ユニット１５を接続固定する。この際は、排水栓本体１の位置決め溝部１ｃに電動ユニット１５の位置決め突条部１５ｂを合致させ、排水栓本体１の凹凸部１４に電動ユニット１５の第二の磁石部Ｍ２の位置が適切な位置となるようにする。
次に、電動ユニット１５の下流側端部に継手部材１１の上流側端部を接続し、更に継手部材１１の下流側端部を配管部材Ｐを介して下水側端部に接続する。
次に、操作部３のリード線Ｒを、電動ユニット１５に接続する。
次に、排水口１ａ内から逆流防止弁８を挿入し、排水栓本体１と電動ユニット１５の接続箇所に生じる段差を利用して、排水栓本体１の内面に水密的且つ着脱自在に接続する。
更に排水口１ａ内に弁部材２のリング部１０、弁軸部２ｂを配置して、本実施例の遠隔操作式排水栓装置の施工が完了する。
【００３０】
以下に、上記第三実施例の遠隔操作式排水栓装置の動作について説明する。尚、動作を説明する図２７乃至図３３においては、説明を容易にするため、排水栓本体１、弁部材２、水平作動部４であり垂直作動部５であるリング部１０の概略図のみ図示してなる（それぞれの部材の位置関係、及び動作は、施工が完了し、実際の使用時の各部材の動作に基づいて図示する）。
図２７乃至図３３の各図において、（ａ）は排水栓本体１の中心軸から、排水栓本体１の内側方向を、およそ２００度程度の範囲で見た概略図であり、（ｂ）は（ａ）の状態における排水口１ａ周縁と弁部材２の弁体２ａ及び弁軸２ｂの状態を示す概略図である。
また、説明においては「支持脚部１０ａが右方向に移動する」等と記載しているが、この時、実際には、排水栓本体１内に沿って、支持脚部１０ａと共にリング体１０が平面視右方向に回転している。
【００３１】
上記第三実施例の遠隔操作式排水栓装置を使用する場合、まず操作部３に操作を加えて、弁部材２の支持脚部１０ａが、図２７に示したように、下側の小傾斜面１４ａ部上に移動した状態とする（支持脚部１０ａ下面と凹凸部１４が当接しない遊びの許容する範囲で、支持脚部１０ａの位置は下側の小傾斜面１４ａ部上から左右にずれる場合がある）。この状態においては、弁部材２は降下し、排水口１ａは弁体２ａに覆われるようにして閉口してなる。
この状態より、操作部３の押しボタンに押し操作を行うと、まず電磁石ＭＡに通電が行われる。
弁部材２の支持脚部１０ａに備えられた第一の磁石部Ｍ１は、電磁石ＭＡに反発し、支持脚部１０ａは図２７の右側方向に向かって移動する。弁体２ａは排水口１ａに対して当接しており、仮に当接したまま弁体２ａを回転させるためには当接面の摩擦力に抗する力が必要になるが、本実施例では弁体２ａと弁軸は回動自在に構成されているため、弁体２ａは排水口１ａ周縁に当接したまま、弁軸やリング体は支障なく動作する。
支持脚部１０ａは図２８にあるように、中傾斜面１４ｂに当接するが、電磁石ＭＡの反発の作用を受けて、そのまま止まることなく右側方向に向かって移動するため、結果支持脚部１０ａと共に弁部材２全体が、中傾斜面１４ｂに沿って上昇する。
支持脚部１０ａと中傾斜面１４ｂとの接触箇所は図２８においては面ではなく点であるが、実際にはリング部１０が排水栓本体１の内周面に沿って回動しているため、支持脚部１０ａが傾くことは無い。
電磁石ＭＡの影響は、支持脚部１０ａの第一の磁石部Ｍ１が、電磁石ＭＢよりも右側に移動する位置まで作用する。このため、充分な時間が経過すると、支持脚部１０ａは、図２９に示したように、電磁石ＭＢよりも右側に移動する。
支持脚部１０ａが電磁石ＭＢを超える位置まで移動するのに充分な時間が経過すると、電磁石ＭＢ、及び電磁石ＭＤが通電され、電磁石ＭＡの通電は終了する。
支持脚部１０ａの第一の磁石部Ｍ１は、電磁石ＭＢに反発して中傾斜面１４ｂ上を更に右方向に移動し、傾斜に沿って上昇を続ける。
電磁石ＭＢの影響は、支持脚部１０ａの第一の磁石部Ｍ１が、電磁石ＭＣよりも右側に移動する位置まで作用する。このため、充分な時間が経過すると、支持脚部１０ａは、図３０に示したように、電磁石ＭＣよりも右側に移動する。尚、電磁石ＭＤにも磁力が発生するが、この時は電磁石ＭＤと支持脚部１０ａの第一の磁石部Ｍ１の間には充分な距離があるため、反発力はほとんど発生せず、支持脚部１０ａの第一の磁石部Ｍ１は支障なく弁部材２は電磁石ＭＣの右側となる位置まで移動する。
支持脚部１０ａが電磁石ＭＣを超える位置まで移動するのに充分な時間が経過すると、電磁石ＭＣが通電され、電磁石ＭＢの通電は終了する。
支持脚部１０ａの第一の磁石部Ｍ１は、電磁石ＭＣに反発して中傾斜面１４ｂを更に右方向に移動し、傾斜に沿って上昇を続ける。
電磁石ＭＣの影響は、支持脚部１０ａの第一の磁石部Ｍ１が、支持脚部１０ａ下面の中央が小傾斜面１４ａ上に移動する位置まで作用する。このため、充分な時間が経過すると、支持脚部１０ａは、図３１に示したように、支持脚部１０ａ下面の中央が小傾斜面１４ａ上に移動する位置まで移動する。
結果、支持脚部１０ａは傾斜に沿って動作し、小傾斜面１４ａの傾斜と支持脚部１０ａ下面が合致するようにして、電磁石ＭＣの影響する範囲を若干超えて更に右側に移動し、図３２の状態となる。
この図３２の状態になるまでに充分な時間が経過すると、電磁石ＭＣの通電は終了する。
弁部材２の支持脚部１０ａは、小傾斜面１４ａに合致して安定し、結果、弁部材２全体が、傾斜面７に沿って上昇した状態で安定することで、排水口１ａから弁体２ａが離間して排水口１ａが開口する。
浴槽Ｂ内に吐水が溜まっていた場合、吐水は排水口１ａから排水栓本体１内、逆流防止弁８、継手部材１１、排水配管内を介し、最終的に床下配管から下水側に排出される（逆流防止弁８の開口時の動作は、段落００２８に記載の通りである）。
この状態より操作部３の押しボタンに操作を行うと、前述した、排水口１ａの閉口状態から開口状態への作動時と同様の手順にて通電が行われる。
しかしながら、電磁石ＭＡが通電され、電磁石ＭＡが磁力を発生させても、支持脚部１０ａの第一の磁石部Ｍ１と電磁石ＭＡとの間は充分に離間しているため、弁部材２は特に何ら影響を受けない。
そのまま充分な時間が経過すると、電磁石ＭＢ、及び電磁石ＭＤが通電され、電磁石ＭＡの通電は終了する。
この時、支持脚部１０ａの第一の磁石部Ｍ１は、電磁石ＭＤに反発して小傾斜面１４ａを乗り越えて、右側、即ち図３３に示したように、大傾斜面１４ｃ上に移動し、大傾斜面１４ｃ上を落下するようにして降下する。支持脚部１０ａの支持がなくなったことで、弁体２ａが排水口１ａ周辺に当接するまで弁部材２全体が降下し、弁体２ａが排水口１ａを閉口して図２７の状態となり、弁部材２の動作が終了する。通電自体は、電磁石ＭＢ及び電磁石ＭＤ、次いで電磁石ＭＣに充分な時間行われ、終了するが、それら電磁石ＭＢ乃至電磁石ＭＤの各電磁石は、通電しても図２７の状態にある弁部材２に対して充分に離間しており、何ら影響を及ぼさない。仮に影響を生じる程度の磁力を生じたとしても、支持脚部１０ａと電磁石ＭＢ乃至電磁石ＭＤの位置関係から、弁部材２の支持脚部１０ａが弁部材２を上昇する方向（右方向）に移動することは無い（大傾斜面１４ｃは垂直に近く、仮に電磁石ＭＢの反発により支持脚部１０ａが大傾斜面１４ｃに強く押圧されても、支持脚部１０ａが大傾斜面１４ｃに沿って上昇することは無理である）。
以降、この操作を繰り返すことで、操作部３を操作することにより、遠隔操作にて排水口１ａを開閉することができる。
このように、本実施例の遠隔操作式排水栓装置は、水平作動部４であり垂直作動部５であるリング体１０にて弁部材２を上下動させ排水口１ａを開閉する遠隔操作式排水栓装置であり、且つ電動ユニット１５とリング体１０間との動作の伝達は、両部材間に磁力を生じさせる磁性体によって、弁部材２の側面方向から、排水の流路を形成する部材（排水栓本体１）の壁面を超えて行われている。リング体１０の水平動作は、回転動作によって行われ、また、リング体１０の水平動作は凹凸部１４の小傾斜面１４ａ、中傾斜面１４ｂ、大傾斜面１４ｃによりリング体１０の垂直動作に変換される。
【００３２】
本実施例の遠隔操作式排水栓装置は、磁性体の磁力を利用し、磁力を介して弁部材２を上昇させる構造としたことで、排水口１ａ内に障害物が生じない遠隔操作式排水栓装置として構成されており、弁部材２を排水口１ａから取り出すことで、排水栓本体１内部等の清掃が容易である。
また、上記遠隔操作式排水栓装置においては、排水栓本体１内に配置した逆流防止弁８によって、下流側からの排水、臭気、害虫類の逆流を防止することができる。該逆流防止弁８は、排水栓本体１から着脱自在に構成されており、排水口１ａから弁部材２を取り出した上で、排水口１ａから取り出すことができる。
【００３３】
上記第三の実施例においては、弁部材２が上昇する幅は、排水栓本体１内部に設けられた、凹凸部１４の形状、特に上下２つの小傾斜面１４ａの高さ幅によって決定することができる。
第一の磁石部Ｍ１と第二の磁石部Ｍ２（電磁石部ＭＡ、ＭＢ、ＭＣ、ＭＤ）の磁力強さが、槽体満水時の水圧に対抗するのに不充分な強さであると、弁部材２が垂直作動部５の動作に連動することができず、排水口１ａが閉口したままとなるが、磁力強さと弁部材２の上昇幅には何ら関係が無いから、磁力強さは必要なだけ強くすることができる。
よって、最も水圧による加重が強く作用する遠隔操作式排水栓装置の事例（従来例であれば、段落０００９の第二の事例）に合わせて、第一の磁石部Ｍ１と第二の磁石部Ｍ２の磁力強さを設定すれば、最も水圧による加重が小さく作用する遠隔操作式排水栓装置の事例（従来例であれば、段落０００９の第一の事例）であっても、遠隔操作式排水栓装置を支障なく使用することができ、槽体や部材毎に仕様を変える必要が無くなり、部材の共通化が図れる。
また、排水口１ａから飛び出させないために弁部材２を長くする、という必要も無いため、排水栓本体１や継手部材１１を長くする必要も無く、遠隔操作式排水栓装置の部材や排水配管がキャビネットＳ２内の収納空間内に必要以上に突出したり、浴槽Ｂの排水口１ａに使用した場合に浴槽Ｂ下の空間を高く取る必要も無い。また、排水口１ａの開口時弁部材２が必要以上に上昇して意匠性を悪化させる、という問題も生じない。
また、上記実施例において、通電など磁力が必要なタイミングは弁部材２を上昇、または下降させる時のみであるので、弁部材２が上昇した状態を維持するためには通電等行う必要が無く、電磁石によって駆動するランニングコストや機器への負担が増大することも無い。
また、当然ながら、磁性体の磁力を利用し、磁力を介して弁部材２を上昇させる構造としたことで、排水口１ａ内に障害物が生じない遠隔操作式排水栓装置として構成されており、塵芥が溜まりにくく、且つ弁部材２を排水口１ａから取り出すことで、清掃を容易に行うことができる構造である。
【００３４】
以下に、本発明の第四実施例について、図面を参照しつつ説明する。
図３４乃至図４３に示した、本発明の第四実施例の遠隔操作式排水栓装置は、以下に記載する、槽体としての浴槽Ｂ、排水栓本体１、電動ユニット１５、水平作動部４、垂直作動部５、弁部材２、継手部材１１、操作部３、逆流防止弁８等より構成されてなる。
浴槽Ｂは、上方が開口した箱体であって、底面には排水栓本体１を、上縁周縁には操作部３を、それぞれ取り付ける孔部を有してなる。
排水栓本体１は、内部に排水口１ａを形成する略円筒形状の部材であって、上縁に外方向に突出したフランジ部を、外側面上方に雄ネジを、それぞれ備えてなり、浴槽Ｂの底面の開口に取り付けられる。
また、排水栓本体１の外側面二か所に、後述する電動ユニット１５との位置決めを行う為の位置決め溝部１ｃを設けてなる。
また、排水栓本体１の内側面四か所に、後述する弁部材２の垂直作動部５であるリング体の回転を防止するためのガイド用突起部１２を設けてなる。
また、排水栓本体１の雄ネジと螺合する雌ネジを備えたナット部材１ｂを備えてなる。
電動ユニット１５は、排水栓本体１を下方から覆うようにして接続固定される略リング状の部材であって、内部に通電により機能する電磁石からなる第二の磁石部Ｍ２を備えてなる。
第二の磁石部Ｍ２について詳述すると、第二の磁石部Ｍ２は電磁石からなり、平面視電動ユニット１５の中心軸を中心として、９０度間隔で電磁石ＭＥ及び電磁石ＭＦが、交互に配置されている。つまり電磁石ＭＥ、電磁石ＭＦ各２対、計４個用意されている。電磁石ＭＥ及び電磁石ＭＦの高さ位置は、後述する水平作動部４の第一の磁石部Ｍ１に対応する高さ位置である。
また、電磁石ＭＤ、電磁石ＭＥの磁力強さは同程度で、通電させることで、それぞれ近くにある第一の磁石部Ｍ１を引き寄せる引力を生じる。
これら第二の磁石部Ｍ２の電磁石は、リード線Ｒを接続することで、後述する操作部３の制御部に接続される。
電動ユニット１５の内部には、排水栓本体１の位置決め溝部１ｃに対応する位置決め突条部１５ｂがあり、この位置決め突条部１５ｂを、排水栓本体１の位置決め溝部１ｃに沿って接続することで、排水栓本体１と第二の磁石部Ｍ２とを、段落００３５に記載したような動作をする位置関係に配置することができる。
また、電動ユニット１５の内周面下端には、円周に沿って連続した突出部分である内フランジ部１５ａを備えてなる。
水平作動部４は、排水栓本体１内部に回動自在に収納配置される部材であって、図３６、図３７に示したように、円筒形状を成し、その外径は、排水栓本体１の突条部５ｃに干渉しない程度の径に形成されてなる。
更に、水平作動部４の上方には、等脚台形形状部分を二か所設けてなり、また等脚台形の上方中央、及び台形形状部分間の中間部分に、半円形上の窪み部４ｄを計４か所設けてなる。
台形の傾斜は、水平面に対して２０度程度である。このように構成したことで、水平作動部４の上方は、二回転対称形状を構成してなる。
また水平作動部４の台形形状部分の下方には、第二の磁石部Ｍ２を引き寄せる極性方向に調整されて固定された永久磁石からなる磁性体である、第一の磁石部Ｍ１が埋め込まれるようにして固定されてなる。
垂直作動部５は、有底円筒形状にして後述する弁部材２の弁軸を収納する軸受部５ｂと、該軸受部５ｂの周囲に設けた、脚によって軸受部５ｂに接続されるリング部１０と、から構成されてなる。
リング部１０の外径は、排水栓本体１の内径に等しく、またリング部１０の下方には、等脚台形形状に突出した支持脚部１０ａを二脚有してなり、また等脚台形の下方中央に、水平作動部４の窪み部４ｄに対応する突起部５ｃを備えてなる。
台形の傾斜は、水平面に対して２０度程度である。このように構成したことで、リング部１０の下方は、二回転対称形状を構成してなる。
また、リング部１０の外側面には、排水栓本体１内部に設けられた、ガイド用突起部１２に対応する溝部１３が設けられてなり、これにより、施工完了時排水栓本体１内でリング部１０は回動しないように構成されてなる。
上記のような支持脚部１０ａを備えた構成されたことで、リング部１０は、水平作動部４の水平方向への回動動作に対応して上下動する機能を備えてなる。
弁部材２は、排水口１ａを閉塞する円盤状の弁部材２と、該弁部材２の中央から下方に向かって垂下される弁軸部２ｂから構成されてなる。
継手部材１１は排水栓本体１の下流側に接続されるＬ字状に屈曲した管体からなる部材であって、排水栓本体１の下方に配置される。該継手部材１１の上流側端部は、排水栓本体１の下流側端部に水密的に接続可能に構成されてなる。
操作部３（本実施例では図示せず）は、浴槽Ｂ上縁の開口に取り付けられる部材であって、押しボタンと、制御部と、リード線Ｒとを備えてなる。施工完了時、電磁石からなる第二の磁石部Ｍ２は、操作部３の押しボタンを押し操作することで、制御部によって制御され、設定された順番に通電され、通電された順に磁力を発生させ、弁部材２を上下動させる。
逆流防止弁８は、シリコン等の弾性素材より形成され、平面視円形且つ側面視略三角形状であって、下端部分に弁部８ａが形成されてなり、通常時は弁部８ａが当接して下流側からの排水、臭気、害虫類などの逆流を防止し、上流側である排水口１ａからの排水が生じた際には水圧に応じて開口し、内部の排水を下流側に排出する。該逆流防止弁８は、施工完了時には、上縁部分が電動ユニット１５の内フランジ部１５ａに生じる段差に係止されるようにして、水密的且つ排水口１ａから着脱自在に、排水栓本体１の内面に接続される。
【００３５】
ここで、施工完了時の水平作動部４、垂直作動部５、及び第二の磁石部Ｍ２の位置関係について簡単に説明する。
垂直作動部５は排水栓本体１に対して上下動はするが、位置決め突起部１２と溝部１３とが合致しているため、排水栓本体１内を回動することは無い。また、排水栓本体１と電動ユニット１５も位置決め溝部１ｃと位置決め突条部１５ｂとで位置関係が固定されている。
これを利用して、本実施例では、第一の磁石部Ｍ１と第二の磁石部Ｍ２との位置関係を次のように設定してなる。
施工完了時、第二の電磁石部の電磁石ＭＥに通電が行われると、水平作動部４の第一の電磁石部は電磁石ＭＥに引き寄せられて回動し、水平作動部４の台形形状部分の上面が、水平方向に対しては位置決めされている垂直作動部５のリング部１０の支持脚部１０ａ下端位置に移動する。
また、第二の電磁石部の電磁石ＭＦに通電が行われると、水平作動部４の第一の電磁石部は電磁石ＭＦに引き寄せられて回動し、水平作動部１４の台形形状部分の上面が、水平方向に対しては位置決めされているリング部１０の支持脚部１０ａの中間位置に移動する。
【００３６】
上記のように構成した遠隔操作式排水栓装置は、以下のようにして、槽体である浴槽Ｂに施工される。
まず、排水栓本体１を、浴槽Ｂ底面に設けられた孔部に挿通し、フランジ部の下面を、孔部の周縁上面に当接した状態とする。更にナット部材１ｂの雌ネジを、排水栓本体１の雄ネジに螺合させ、フランジ部下面とナット部材１ｂ上面とで孔部の周縁を挟持するようにして排水栓本体１を浴槽Ｂに固定する。
次に、操作部３を天板部に設けた孔部に取り付け固定する。
次に、排水栓本体１に、下方から、電動ユニット１５を接続固定する。この際は、排水栓本体１の位置決め溝部１ｃに電動ユニット１５の位置決め突条部１５ｂを合致させ、排水栓本体１の凹凸部１４に電動ユニット１５の第二の磁石部Ｍ２の位置が適切な位置となるようにする。
次に、電動ユニット１５の下流側端部に継手部材１１の上流側端部を接続し、更に継手部材１１の下流側端部を配管部材Ｐを介して下水側端部に接続する。
次に、操作部３のリード線Ｒを、電動ユニット１５に接続する。
次に、排水口１ａ内から逆流防止弁８を挿入し、電動ユニット１５の内フランジ部１５ａの段差上に、水密的且つ着脱自在に接続する。
次に、排水口１ａ内であって、電動ユニット１５の内フランジ部１５ａ上に、水平作動部４を、更にその上方に垂直作動部５を配置する。
更に、弁部材２の弁軸部２ｂを、垂直作動部５の軸受部５ｂ内に配置して、本実施例の遠隔操作式排水栓装置の施工が完了する。
【００３７】
以下に、上記第四実施例の遠隔操作式排水栓装置の動作について説明する。尚、動作を説明する図３８乃至図４３においては、説明を容易にするため、排水栓本体１、弁部材２、水平作動部４、垂直作動部５の概略図のみ図示してなる（それぞれの部材の位置関係、及び動作は、施工が完了し、実際の使用時の各部材の動作に基づいて図示する）。
図３８乃至図４３の各図において、（ａ）は排水栓本体１の中心軸から、排水栓本体１の内側方向を、およそ２９０度程度の範囲で見た概略図であり、（ｂ）は（ａ）の状態における排水口１ａ周縁と弁部材２の弁体２ａ及び弁軸２ｂの状態を示す概略図である。
また、説明においては「支持脚部１０ａが右方向に移動する」又は「支持脚部１０ａが左方向に移動する」と記載しているが、この時、実際には、排水栓本体１内に沿って、支持脚部１０ａと共にリング体１０が平面視右方向又は左方向に回転している。
【００３８】
上記第四実施例の遠隔操作式排水栓装置を使用する場合、まず操作部３に操作を加えて、弁部材２の支持脚部１０ａが、図３８に示したように、水平作動部４の台形形状部分間に移動した状態とする。この状態においては、弁部材２は垂直作動部５と共に降下し、排水口１ａは弁体２ａに覆われるようにして閉口してなる（弁軸部２ｂ下端と軸受部５ｂの底面の間には若干の隙間がある）。
また、リング部１０の脚部中央にある突起部５ｃは、水平作動部４の中央にある窪み部４ｄに合致している。
この状態より、操作部３の押しボタンに押し操作を行うと、電磁石ＭＥに通電が行われる。
通電により発生した電磁石ＭＥの磁力により、水平作動部４の第一の電磁石部が、電動ユニット１５の第二の磁石部Ｍ２の電磁石ＭＥに引き寄せられることで右または左方向に回動する（二つの電磁石ＭＥの磁力強さが完全に等しく、且つ第一の磁石部Ｍ１が電磁石ＭＥの完全に中間位置にあれば釣り合って回転しないことになるが、実際には若干の位置ずれなどで均衡が失われ、左右いずれかに回転する。また、対になる磁石部の位置や強度を若干ずらして確実に回転方向に偏りが生じるようにしても良い）。このため、水平作動部４の台形形状の傾斜面７が、右又は左方向に回動して、図３９乃至図４０のように、回動できないように構成されている垂直作動部５のリング体の支持脚部１０ａの傾斜面７を押し上げる。
垂直作動部５の上昇に伴って、弁軸部２ｂの下端が、軸受部５ｂの底面に当接し、更に弁部材２全体を押し上げる。
最終的に、リング体の支持脚部１０ａは、図４１乃至図４２のように、水平作動部４の台形形状の傾斜面７を登り切り、図４３のように、水平作動部４の台形形状中央部の窪み部４ｄが、支持脚部１０ａ下端中央の突起部５ｃに合致する位置まで移動する。
支持脚部１０ａが水平作動部４の台形形状部分上面に乗り上げ、支持脚部１０ａの突起部５ｃに台形形状部分の窪み部４ｄが合致する位置まで移動するのに充分な時間が経過すると、電磁石ＭＥの通電は終了する。
水平作動部４は、弁部材２の支持脚部１０ａの突起部５ｃに、台形形状部分の窪み部４ｄが合致することで安定し、通電が終了しても排水時の振動などによって回動が生じないようになる。
結果、弁軸部２ｂの下端が、軸受部５ｂの底面に当接し、弁部材２全体が上昇した状態で安定することで、排水口１ａから弁体２ａが離間して排水口１ａが開口する。
浴槽Ｂ内に吐水が溜まっていた場合、吐水は排水口１ａから排水栓本体１内、逆流防止弁８、継手部材１１、排水配管内を介し、最終的に床下配管から下水側に排出される。（逆流防止弁８の開口時の動作は、段落００３４に記載の通りである）。
この状態より、操作部３の押しボタンに押し操作を行うと、電磁石ＭＦに通電が行われる。
通電により発生した電磁石ＭＦの磁力により、水平作動部４の第一の電磁石部が、電動ユニット１５の第二の磁石部Ｍ２の電磁石ＭＦに引き寄せられることで、垂直作動部５の支持脚部１０ａの突起部５ｃと台形形状部分の窪み部４ｄとの合致が解除され、その上で、水平作動部４は右または左方向に回動する。
水平作動部４は、図４３から、図４２、図４１、図４０、図３９の順に左に移動し（あるいは図４３から図３９の過程を鏡写ししたようにして右に移動し）、９０度程度回動して、水平作動部４の台形形状部間に支持脚部１０ａが配置されるように移動するため、弁部材２は垂直作動部５の支持を失って降下する。
最終的に、弁体２ａが排水口１ａ周辺に当接して排水口１ａを閉口し、弁部材２の降下は終了する。尚、垂直作動部５は弁部材２が排水口１ａを覆った後も若干降下し、最終的に、垂直作動部５のリング体の支持脚部１０ａの突起部５ｄが、水平作動部４の台形形状部分間に設けた窪み部４ｄに合致する位置まで移動して、図３８の状態となり、動作は終了する。
以降、この操作を繰り返すことで、操作部３を操作することにより、遠隔操作にて排水口１ａを開閉することができる。
尚、上記のように、開口の際と閉口の際とで、第二の磁石部Ｍ２の通電される電磁石が異なる。このため、操作部３の制御部は、押しボタンに操作を行う都度「開口（電磁石ＭＥに通電）」と「閉口（電磁石ＭＦに通電）」とで通電する電磁石を交互に変更する。
何らかの要因で、排水口１ａの開口時に、押しボタンの操作によらず水平作動部４が回転する等して排水口１ａを閉塞した場合、排水口１ａを開口させるためには、二度押しボタンを押さなければならないが、そのような事例が生じたとしても、若干の手間が増えるのみで、遠隔操作式排水栓装置や槽体の使用に特に支障は生じない。尚、排水口１ａを閉口して槽内に吐水を溜める際に、押しボタンの操作によらず排水口１ａが開口する、ということがあれば、溜めた吐水が流出してしまう、ということだから問題があるが、当然ながら偶発的な要因で水平作動部４が若干回転することはあっても、水圧の応力が作用している弁部材２を押し上げるような強力な回転を生じることは無いから、誤って排水口１ａが開口する、という問題は生じない。
このように、本実施例の遠隔操作式排水栓装置は、水平作動部４及び垂直作動部５にて弁部材２を上下動させ排水口１ａを開閉する遠隔操作式排水栓装置であり、且つ水平作動部４の電磁石による動作の伝達は、両部材間に引力を生じさせる磁性体によって、弁部材２の側面方向から、排水の流路を形成する配管部材Ｐの壁面を超えて行われている。水平作動部４の水平動作は、回転動作によって行われ、また、水平作動部４の水平動作は傾斜面７により垂直作動部５の垂直動作に変換される。
【００３９】
上記第四の実施例においては、段落００３４に記載した、第三実施例と同様の効果を有してなる。
【００４０】
本発明の実施例は以上のようであるが本発明は上記実施例に限定される物ではなく、主旨を変更しない範囲において自由に変更が可能である。
例えば、上記実施例では、水平運動を垂直運動に代える構造として、傾斜面７を利用して構成してなるが、クランク機構などヒンジなどを利用した機械的構造によってこれを達成しても構わない。
また、上記各実施例の構造において、各部際の配置や動作のタイミングを適宜調整することで、第一の磁石部Ｍ１と第二の磁石部Ｍ２の間に働く磁力を、引力から斥力よって動作するように（または斥力から引力によって動作するように）構成を変更しても構わない。
また、第一次実施例、第二実施例において、操作部３から水平作動部４への操作の伝達をレリースワイヤ９によって行っているが、これを電動また電磁石を利用して行うようにしても構わない。
また、第三実施例、第四実施例において、操作部３から水平作動部４への操作の伝達を電磁石によって行っているが、これをレリースワイヤ９のインナーワイヤ９ｂ先端に永久磁石を固定するような構造としても構わない。
【符号の説明】
【００４１】
１      排水栓本体            １ａ    排水口
１ｂ    ナット部材            １ｃ    位置決め溝部
２      弁部材                ２ａ    弁体
２ｂ    弁軸部                ３      操作部
３ａ    ツマミ部              ４      水平作動部
４ａ    トラック状開口部      ４ｂ    インナーワイヤ固定部
４ｃ    歯車部                ４ｄ    窪み部
５      垂直作動部            ５ａ    円形開口部
５ｂ    軸受部                ５ｃ    突起部
６      ケーシング部          ６ａ    アウターチューブ固定部
７      傾斜面                ８      逆流防止弁
８ａ    弁部                  ９      レリースワイヤ
９ａ    アウターチューブ      ９ｂ    インナーワイヤ
９ｃ    ロッド部              ９ｄ    係合歯
１０    リング部              １０ａ  支持脚部
１１    継手部材              １１ａ  袋ナット
１２    ガイド用突起部        １３    溝部
１４    凹凸部                １４ａ  小傾斜面
１４ｂ  中傾斜面              １４ｃ  大傾斜面
１５    電動ユニット          １５ａ  内フランジ部
１５ｂ  位置決め突条部        Ｂ      浴槽
Ｍ１    第一の磁石部          Ｍ２    第二の磁石部
ＭＡ，ＭＢ，ＭＣ，ＭＤ，ＭＥ，ＭＦ  電磁石
Ｐ      配管部材              Ｒ      リード線
Ｓ      洗面台                Ｓ１    洗面ボウル
Ｓ２    キャビネット          Ｔ      トラップ部
【図１】
2015081497.tif 000003
【図２】
2015081497.tif 000004
【図３】
2015081497.tif 000005
【図４】
2015081497.tif 000006
【図５】
2015081497.tif 000007
【図６】
2015081497.tif 000008
【図７】
2015081497.tif 000009
【図８】
2015081497.tif 000010
【図９】
2015081497.tif 000011
【図１０】
2015081497.tif 000012
【図１１】
2015081497.tif 000013
【図１２】
2015081497.tif 000014
【図１３】
2015081497.tif 000015
【図１４】
2015081497.tif 000016
【図１５】
2015081497.tif 000017
【図１６】
2015081497.tif 000018
【図１７】
2015081497.tif 000019
【図１８】
2015081497.tif 000020
【図１９】
2015081497.tif 000021
【図２０】
2015081497.tif 000022
【図２１】
2015081497.tif 000023
【図２２】
2015081497.tif 000024
【図２３】
2015081497.tif 000025
【図２４】
2015081497.tif 000026
【図２５】
2015081497.tif 000027
【図２６】
2015081497.tif 000028
【図２７】
2015081497.tif 000029
【図２８】
2015081497.tif 000030
【図２９】
2015081497.tif 000031
【図３０】
2015081497.tif 000032
【図３１】
2015081497.tif 000033
【図３２】
2015081497.tif 000034
【図３３】
2015081497.tif 000035
【図３４】
2015081497.tif 000036
【図３５】
2015081497.tif 000037
【図３６】
2015081497.tif 000038
【図３７】
2015081497.tif 000039
【図３８】
2015081497.tif 000040
【図３９】
2015081497.tif 000041
【図４０】
2015081497.tif 000042
【図４１】
2015081497.tif 000043
【図４２】
2015081497.tif 000044
【図４３】
2015081497.tif 000045